(57)【特許請求の範囲】
【請求項１】
放送波型コンテンツと、該放送波型コンテンツと同一内容であるネットワーク型コンテンツと、の切り替え再生が可能な受信装置であって、
第１放送波型コンテンツを受信する第１放送受信部と、
前記第１放送波型コンテンツと異なる内容の第２放送波型コンテンツを受信する第２放送受信部と、
前記第１放送波型コンテンツと同一内容の第１ネットワーク型コンテンツ及び前記第２放送波型コンテンツと同一内容の第２ネットワーク型コンテンツを受信するネットワーク通信受信部と、
前記第１放送波型コンテンツと第１ネットワーク型コンテンツとの再生信号の時間差を検出する第１時間差検出部と、
前記第１放送波型コンテンツの再生中に、前記第２放送波型コンテンツと第２ネットワーク型コンテンツとの再生信号の時間差を検出する第２時間差検出部と、
前記第１時間差検出部で検出された時間差に基づいて、前記第１放送波型コンテンツの再生速度を前記第１ネットワーク型コンテンツと同期するように変化させる再生速度変化部と、
前記第１放送波型コンテンツと第１ネットワーク型コンテンツとの再生信号が同期した場合に、前記第１放送波型コンテンツから前記第１ネットワーク型コンテンツの再生に切り替える出力切替部と、を有し、
前記第１放送波型コンテンツ又は第１ネットワーク型コンテンツの再生中に、前記再生速度変化部は、前記第２時間差検出部で検出された再生信号の時間差に基づいて、前記第２放送波型コンテンツの再生速度を前記第２ネットワーク型コンテンツと同期するように変化させる受信装置。
【請求項２】
前記第１放送波型コンテンツ及び前記第２放送波型コンテンツの何れか一方の再生を選局する選局部を有する請求項１に記載の受信装置。
【請求項３】
前記選局部は、予め設定された操作指示又は手動操作指示に基づいて前記第１放送波型コンテンツ及び前記第２放送波型コンテンツの何れか一方の再生を選局する請求項２に記載の受信装置。
【請求項４】
放送波型コンテンツと、該放送波型コンテンツと同一内容であるネットワーク型コンテンツと、の切り替え再生が可能な受信装置における再生方法であって、
第１放送波型コンテンツを受信する第１放送受信ステップと、
前記第１放送波型コンテンツと異なる内容の第２放送波型コンテンツを受信する第２放送受信ステップと、
前記第１放送波型コンテンツと同一内容の第１ネットワーク型コンテンツ及び前記第２放送波型コンテンツと同一内容の第２ネットワーク型コンテンツを受信するネットワーク通信受信ステップと、
前記第１放送波型コンテンツと第１ネットワーク型コンテンツとの再生信号の時間差を検出する第１時間差検出ステップと、
前記第１放送波型コンテンツの再生中に、前記第２放送波型コンテンツと第２ネットワーク型コンテンツとの再生信号の時間差を検出する第２時間差検出ステップと、
前記第１時間差検出ステップで検出された時間差に基づいて、前記第１放送波型コンテンツの再生速度を前記第１ネットワーク型コンテンツと同期するように変化させる再生速度変化ステップと、
前記第１放送波型コンテンツと第１ネットワーク型コンテンツとの再生信号が同期した場合に、前記第１放送波型コンテンツから前記第１ネットワーク型コンテンツの再生に切り替える出力切替ステップと、を有し、
前記第１放送波型コンテンツ又は第１ネットワーク型コンテンツの再生中に、前記再生速度変化ステップは、前記第２時間差検出ステップで検出された再生信号の時間差に基づいて、前記第２放送波型コンテンツの再生速度を前記第２ネットワーク型コンテンツと同期するように変化させる再生方法。
【発明の詳細な説明】
【技術分野】
【０００１】
本発明は、放送波型コンテンツと、該放送波型コンテンツと同一内容であるネットワーク型コンテンツと、の切り替え再生が可能な受信装置及び該受信装置における再生方法に関する。
【背景技術】
【０００２】
放送波（Broadcast）により送信されるコンテンツと同一内容のコンテンツがＩＰ（Internet Protocol）ネットワークを通じて送信されるサイマル放送が行われている。受信状況の適否に応じていずれか一方に切り替えての受信が可能であるが、一般に放送波による送信に較べて、ネットワークによる送信は時間的に遅れる傾向にあり、受信切り替えにより情報の欠落又は情報の繰り返しを生じてしまう。このような時間的なズレを解消し、シームレスに切り替えることができる受信装置が提案されている（特許文献１参照）。
【０００３】
上記特許文献１の装置によれば、放送波による再生信号とネットワークによる再生信号との時間差を算出し、算出された時間差に基づいて上記いずれか一方の再生信号を他方の再生信号と同期できるように変化させて切り替えるので、情報の欠落や情報の繰り返しを防止してスムーズに切り替えることが可能となる。
【先行技術文献】
【特許文献】
【０００４】
【特許文献１】特開２０１３−２０１４６９号公報
【発明の概要】
【発明が解決しようとする課題】
【０００５】
上記特許文献１に記載の装置では、図５に示すように、放送波によるコンテンツの再生信号に対して、ＩＰネットワークによるコンテンツの再生信号は２フレーム分の時間的な遅れがあるときに、この遅れ時間について、放送波によるコンテンツのフレーム「０」〜フレーム「２」を記憶部にバッファリングした後に、ＩＰネットワークによるコンテンツのフレーム「０」〜「２」を上記同様にバッファリングすることで対比して検出することができる。そして、上記検出した遅れ時間に基づいて放送波の再生信号の速度を５０％に下げて（フレーム「５」〜「６」）、ＩＰネットワークの再生信号の速度と同期した後に、放送波からＩＰネットワークに切り替えれば、情報の欠落や繰り返しを防止してシームレスでの切り替えが可能となる。
【０００６】
上記したように、検出した時間差に基づいて一方の再生速度（図５の放送による受信の再生速度）を変化させて他方の再生信号（ＩＰネットワークによる受信信号）に同期することでシームレスな切り替えが可能となるが、さらに選局により放送受信のコンテンツを替えた場合には、放送毎にそれぞれ放送波の再生信号とネットワークの再生信号との時間差は異なるため、選局の都度に上記時間差の検出、再生速度の変更による同期を繰り返し行う必要がある。
【０００７】
例えば、図６に示すように、選局Ａのときに、放送波によるコンテンツの再生信号と、ＩＰネットワークによるコンテンツの再生信号との時間差を検出して、放送波の再生速度を変化させて（遅らせて）、ＩＰネットワークの再生信号と同期を図るときに、選局Ｂに変更する場合を例にする。選局Ａと選局Ｂとではそれぞれ放送波によるコンテンツの再生信号と、ＩＰネットワークによるコンテンツの再生信号との時間差は異なるため（図６では、選局Ａでは時間差２フレーム、選局Ｂでは時間差５フレーム）、選局Ａでの時間差検出に基づいて同期したとしても、選局Ｂにしたときは再度時間差を検出し、検出した時間差に基づいて放送波の再生速度を変化させて同期させる必要がある。そのため、選局の度にシームレスな切り替えを行うためには、検出と同期を繰り返すことで時間を要してしまう。
【０００８】
本発明は、選局により受信局が変更された場合でも、放送波によるコンテンツの再生から、ＩＰネットワークによる該コンテンツの再生へと迅速かつ簡便にシームレスな切り替えが可能な受信装置及び該受信装置における再生方法の提供を目的とする。
【課題を解決するための手段】
【０００９】
上記課題を解決するために、本発明に係る受信装置は、放送波型コンテンツと、該放送波型コンテンツと同一内容であるネットワーク型コンテンツと、の切り替え再生が可能な受信装置であって、第１放送波型コンテンツを受信する第１放送受信部と、前記第１放送波型コンテンツと異なる内容の第２放送波型コンテンツを受信する第２放送受信部と、前記第１放送波型コンテンツと同一内容の第１ネットワーク型コンテンツ及び前記第２放送波型コンテンツと同一内容の第２ネットワーク型コンテンツを受信するネットワーク通信受信部と、前記第１放送波型コンテンツと第１ネットワーク型コンテンツとの再生信号の時間差を検出する第１時間差検出部と、前記第１放送波型コンテンツの再生中に、前記第２放送波型コンテンツと第２ネットワーク型コンテンツとの再生信号の時間差を検出する第２時間差検出部と、前記第１時間差検出部で検出された時間差に基づいて、前記第１放送波型コンテンツの再生速度を前記第１ネットワーク型コンテンツと同期するように変化させる再生速度変化部と、前記第１放送波型コンテンツと第１ネットワーク型コンテンツとの再生信号が同期した場合に、前記第１放送波型コンテンツから前記第１ネットワーク型コンテンツの再生に切り替える出力切替部と、を有し、前記第１放送波型コンテンツ又は第１ネットワーク型コンテンツの再生中に、前記再生速度変化部は、前記第２時間差検出部で検出された再生信号の時間差に基づいて、前記第２放送波型コンテンツの再生速度を前記第２ネットワーク型コンテンツと同期するように変化させる構成となる。
【００１０】
このような構成によれば、第２時間差検出部により第１放送波型コンテンツの再生中に、第２放送波型コンテンツと第２ネットワーク型コンテンツとの再生信号の時間差を検出するので、第１放送波型コンテンツ又は第１ネットワーク型コンテンツの再生中に、第２放送波型コンテンツ再生のための選局がなされた場合でも、選局後に第２放送波型コンテンツと第２ネットワーク型コンテンツとの再生信号の時間差を検出する必要がないので、第２放送波型コンテンツの再生速度を第２ネットワーク型コンテンツと同期するように変化させることで、迅速かつ簡便な切り替えが可能となる。なお、上記放送受信部等（放送受信部、時間差検出部）を３以上設け、１の放送局から受信した第１放送波型コンテンツの再生中に、バックグラウンドで他の２以上の放送局から放送波型コンテンツとネットワーク型コンテンツを受信して上記コンテンツ再生信号の時間差検出を２以上行うことも含むものである。すなわち、第２放送波型コンテンツと第２ネットワーク型コンテンツとの再生信号の時間差検出を、１の放送局に限定するものでなく、２以上の放送局から受信してバックグラウンドで行うことも含むものである。
【００１１】
また、上記第２放送波型コンテンツの放送局としては、第１放送波型コンテンツの周波数と隣接する周波数の放送局としてもよく、放送受信部等が３個あるときは、第１放送波型コンテンツの周波数の前後の周波数のコンテンツの放送局とし、バックグラウンドでの時間差検出処理をすることができる。さらに、例えば所定期間内における合計視聴時間が最長の放送局を第２放送波型コンテンツの放送局とすることができ、放送受信部が３個以上のときは、上記合計視聴時間の長い順にバックグラウンド処理する放送局を設定してもよい。
【００１２】
なお、上述したように、放送受信部等を３個以上設けることで、２以上の放送局による放送波型コンテンツとネットワーク型コンテンツとの同期処理をバックグラウンドで行うことができる。
【００１３】
このような構成によれば、第１放送波型コンテンツ又は第１ネットワーク型コンテンツの再生中に、第２時間差検出部で検出された再生信号の時間差に基づいて、第２放送波型コンテンツの再生速度を第２ネットワーク型コンテンツと同期するように変化させるので、第１放送波型コンテンツ又は第１ネットワーク型コンテンツの再生中に、第２放送波型コンテンツ再生のための選局がなされた場合でも、更に迅速に第２放送波型コンテンツの再生から第２ネットワーク型コンテンツへの切り替えが可能となる。
【００１４】
本発明に係る受信装置において、前記第１放送波型コンテンツ及び前記第２放送波型コンテンツの何れか一方の再生を選局する選局部を有する構成とすることができる。
【００１５】
このような構成によれば、選局部への操作により第１放送波型コンテンツ及び第２放送波型コンテンツの何れか一方の再生を選局したときにも、放送波型からネットワーク型への迅速な切り替えが可能となるので、安定したコンテンツの再生が可能となる。
【００１６】
本発明に係る受信装置において、前記選局部は、予め設定された操作指示又は手動操作指示に基づいて前記第１放送波型コンテンツ及び前記第２放送波型コンテンツの何れか一方の再生を選局する構成とすることができる。
【００１７】
このような構成によれば、ユーザーが手動により操作することができ、又は事前設定により受信局の変更（選局）が可能となり、電波状況等に影響されずにコンテンツの再生が可能となる。
【００１８】
本発明に係る受信装置における再生方法は、放送波型コンテンツと、該放送波型コンテンツと同一内容であるネットワーク型コンテンツと、の切り替え再生が可能な受信装置における再生方法であって、第１放送波型コンテンツを受信する第１放送受信ステップと、前記第１放送波型コンテンツと異なる内容の第２放送波型コンテンツを受信する第２放送受信ステップと、前記第１放送波型コンテンツと同一内容の第１ネットワーク型コンテンツ及び前記第２放送波型コンテンツと同一内容の第２ネットワーク型コンテンツを受信するネットワーク通信受信ステップと、前記第１放送波型コンテンツと第１ネットワーク型コンテンツとの再生信号の時間差を検出する第１時間差検出ステップと、前記第１放送波型コンテンツの再生中に、前記第２放送波型コンテンツと第２ネットワーク型コンテンツとの再生信号の時間差を検出する第２時間差検出ステップと、前記第１時間差検出ステップで検出された時間差に基づいて、前記第１放送波型コンテンツの再生速度を前記第１ネットワーク型コンテンツと同期するように変化させる再生速度変化ステップと、前記第１放送波型コンテンツと第１ネットワーク型コンテンツとの再生信号が同期した場合に、前記第１放送波型コンテンツから前記第１ネットワーク型コンテンツの再生に切り替える出力切替ステップと、を有し、前記第１放送波型コンテンツ又は第１ネットワーク型コンテンツの再生中に、前記再生速度変化ステップは、前記第２時間差検出ステップで検出された再生信号の時間差に基づいて、前記第２放送波型コンテンツの再生速度を前記第２ネットワーク型コンテンツと同期するように変化させる構成となる。
【発明の効果】
【００１９】
本発明によれば、選局により受信する放送局が変更された場合でも、放送波型コンテンツの再生から、ＩＰネットワーク型コンテンツの再生へのシームレスな切り替えが迅速かつ簡便にできる受信装置及び該受信装置における再生方法を提供することができる。特に、ユーザーに選局される可能性が高い放送局に対して、バックグラウンドで放送波型コンテンツとネットワーク型コンテンツとの再生信号の時間差を検出し、更にタイムストレッチによる同期処理を行うことで、放送波型コンテンツからネットワーク型コンテンツへの再生を迅速かつシームレスに切り替えることができる。
【図面の簡単な説明】
【００２０】
【図１】図１は、本発明の実施の形態に係る受信装置の構成を示すブロック図である。
【図２】図２は、図１の受信装置におけるコンテンツ再生の手順を示すフローチャートである。
【図３】図３は、図１の受信装置における時間差検出と再生速度変化（タイムストレッチ）を示す説明図である（その１）。
【図４】図４は、図１の受信装置における時間差検出と再生速度変化（タイムストレッチ）を示す説明図である（その２）。
【図５】図５は、従来の受信装置における時間差検出と再生速度変化（タイムストレッチ）を示す説明図である（その１）。
【図６】図６は、従来の受信装置における時間差検出と再生速度変化（タイムストレッチ）を示す説明図である（その２）。
【発明を実施するための形態】
【００２１】
本発明の実施の形態について以下に図面を用いて説明する。
【００２２】
図１に示すように、本発明の実施の形態に係る受信装置１１は、ＡＭ放送、ＦＭ放送等の放送波による第１放送波型コンテンツを、アンテナ１２ａを介して受信する第１放送受信部１３と、第１放送波型コンテンツと異なる他の放送局の放送波による第２放送波型コンテンツを、アンテナ１２ｂを介して受信する第２放送受信部１５と、ＩＰネットワーク１６を介した同時並行放送（サイマル放送）である第１放送波型コンテンツと同一内容の第１ネットワーク型コンテンツ及び第２放送波型コンテンツと同一内容の第２ネットワーク型コンテンツを受信するネットワーク受信部１７と、を有する。第１放送受信部１３及び第２放送受信部１５は、例えば、ＲＦ増幅器、中間周波増幅器、検波回路（チューナー）等で構成される。ネットワーク受信部１７は、ＩＰ放送用サーバ（不図示）との通信制御を行い、ＩＰ放送用サーバから受信したデータのうち放送波型放送のサイマル放送の音声信号を含むパケット等のデータを出力する機能を有する。
【００２３】
受信装置１１は、第１放送受信部１３で受信した第１放送波型コンテンツの一部を後述する時間差検出のためにバッファリングする記憶部２０ａと、同じくネットワーク受信部１７で受信した第１ネットワーク型コンテンツの一部を時間差検出のためにバッファリングする記憶部２０ｂと、第２放送受信部１５で受信した第２放送波型コンテンツの一部を時間差検出のためにバッファリングする記憶部２０ｃと、同じくネットワーク受信部１７で受信した第２ネットワーク型コンテンツの一部を時間差検出のためにバッファリングする記憶部２０ｄと、第１放送波型コンテンツと第１ネットワーク型コンテンツの再生信号の時間差を検出する第１時間検出部２１ａと、第２放送波型コンテンツと第２ネットワーク型コンテンツの再生信号の時間差を検出する第２時間検出部２１ｂと、を有する。記憶部２０ａ〜２０ｄは、例えばハードディスク、フラッシュメモリ等の記憶装置が相当する。第１時間差検出部２１ａ、２１ｂは、例えば、放送波型コンテンツとネットワーク型コンテンツのデータの出力タイミングの差分により再生信号の時間差を求めることができる。
【００２４】
受信装置１１は、更に、第１時間差検出部２１ａ、第２時間差検出部２１ｂにより検出された再生信号の時間差に基づいて第１放送波型コンテンツ、第２放送波型コンテンツの再生速度を遅延させる再生速度変化部２２と、再生速度変化部２２により再生速度を遅延させて同期させた第１放送波型コンテンツ及び第２放送波型コンテンツと、第１ネットワーク型コンテンツ及び第２ネットワーク型コンテンツとを出力制御する出力制御部２３と、出力制御部２３から出力された音声信号の増幅等を行う出力回路２５、出力回路２５から増幅等により出力された出力信号を音声信号として出力するスピーカ２６と、ユーザーによる手動又は設定により受信局を変更操作する選局を行う選局部３０と、を有する。
【００２５】
再生速度変化部２２は、第１時間差検出部２１ａにおいて検出した第１放送波型コンテンツの再生信号と第１ネットワーク型コンテンツの再生信号との時間差に基づいて、第１放送波型コンテンツの再生速度を遅延（タイムストレッチ）させて第１ネットワーク型コンテンツの再生信号に同期させるものである。ＩＰネットワーク等のネットワーク型コンテンツは、ネットワーク上においてネットワークサーバがバッファリングして配信する等の理由から、サイマル放送においては放送波型コンテンツの再生より時間的な遅延が生じる。そこで、検出された両コンテンツの再生の時間差に基づいて、再生速度変化部２２により放送波型コンテンツの再生速度を所定時間だけ遅延処理することで放送波型コンテンツとネットワーク型コンテンツとを同期させることができる。第２放送波型コンテンツと第２ネットワーク型コンテンツにおいても上記同様に、第２時間差検出部２１ｂにより検出された時間差に基づいて、再生速度変化部２２が第２放送波型コンテンツの再生速度を所定時間遅延させて第２ネットワークコンテンツと同期させることができる。
【００２６】
出力制御部２３は、放送波型コンテンツ（第１、第２放送波型コンテンツ）とネットワーク型コンテンツ（第１、第２ネットワーク型コンテンツ）とを切り替えて出力制御するものであり、例えば電波受信状況が不調のときに、放送波型コンテンツとネットワーク型コンテンツとを同期させて、放送波型コンテンツからネットワーク型コンテンツの再生に切り替える出力制御によって、コンテンツの再生品質を維持させることができる。
【００２７】
次に、フローチャート図である図２を参照して、本実施形態に係る受信装置１１におけるコンテンツ再生の手順を説明する。
【００２８】
図２において、受信装置１１は、後述する時間差検出のために、第１放送受信部１３で受信した第１放送波型コンテンツの一部を記憶部２０ａに記憶すると共に、バックグラウンドにて同時に第２放送受信部１５で受信した第２放送波型コンテンツの一部を記憶部２０ｃに記憶させる（Ｓ１１）。図３に示すように、第１放送波型コンテンツのフレーム「０」〜「２」の３フレーム分がバッファリング（記憶）され、同時にバックグラウンドで第２放送波型コンテンツのフレーム「−３」〜「−１」の３フレーム分がバッファリングされる。
【００２９】
次に、受信装置１１は、後述する時間差検出のために、ネットワーク受信部１７で受信した第１ネットワーク型コンテンツの一部と、第２ネットワーク型コンテンツの一部をそれぞれ記憶部２０ｂ、２０ｄに記憶させるように作動する（Ｓ１２）。図３に示すように、第１放送波型コンテンツより時間が３フレーム分遅れている第１ネットワーク型コンテンツのフレーム「０」〜「２」がバッファリングされ、第２放送波型コンテンツより時間が５フレーム分遅れている第２ネットワーク型コンテンツは、フレーム「−３」〜「−１」が第１ネットワーク型コンテンツよりも遅れてバッファリングが開始されることになる。
【００３０】
受信装置１１は、現在受信中の第１放送から第２放送へと受信局を変更する選局の有無を判定し（Ｓ１３）、選局が無との判定をしたときは（Ｓ１３のＮＯ）、第１放送波型コンテンツと第１ネットワーク型コンテンツとの再生の時間差を検出する（Ｓ１４：第１時間差検出部２１ａ）。なお、上記選局時は一例であり、上記時点に限定するものではない。図３に示すように、時間差検出のための第１放送波型コンテンツの３フレーム分（フレーム「０」〜「２」）と、第１ネットワーク型コンテンツの３フレーム分（フレーム「０」〜「２」）とのバッファリングが完了すると両者の比較が可能となるので、時間差検出も完了する。受信装置１１では、第１時間差検出部２１ａにより検出された時間差に基づいて、第１放送波型コンテンツの再生速度を遅延（タイムストレッチ）させる同期処理を行って、第１放送波型コンテンツと第１ネットワーク型コンテンツとを同期させる（Ｓ１５：再生速度変化部２２）。図３に示すように、第１放送波型コンテンツのフレーム「５」「６」の再生速度を５０％にすることで、フレーム「７」の開始時点において第１放送波型コンテンツと第１ネットワーク型コンテンツとが同期する。
【００３１】
受信装置１１では、同期が完了したか否かを判定して（Ｓ１６）、同期が完了していないと判定したときは（Ｓ１６のＮＯ）、繰り返し再生速度変化部２２による同期のためのタイムストレッチを行う。同期が完了したと判定したときは（Ｓ１６のＹＥＳ）、第１放送波型コンテンツから第１ネットワーク型コンテンツへの切り替えがスタンバイの状態になり、出力制御部２３が、例えば第１放送波型コンテンツの受信品質が低下したと判定したときに、第１放送波型コンテンツから第１ネットワーク型コンテンツへの切り替えを行う（Ｓ１７）。
【００３２】
一方、受信装置１１が現在受信中の第１放送から第２放送へと受信局を変更する選局の有無の判定（Ｓ１３）において、選局が有りとの判定をしたときは（Ｓ１３のＹＥＳ）、受信局の変更（チューニング）を行う（Ｓ１８）。そして、受信装置１１では、第２放送波型コンテンツと第２ネットワーク型コンテンツとの再生の時間差を検出する（Ｓ１９：第２時間差検出部２１ｂ）。図３に示すように、時間差検出のための第２放送波型コンテンツの３フレーム分（フレーム「−３」〜「−１」）と、第２ネットワーク型コンテンツの３フレーム分（フレーム「−３」〜「−１」）とのバッファリングが完了すると両者の比較が可能となるので、時間差検出も完了する。従来の受信装置では、上記時間差検出においては、選局部３０の操作等により、受信局の変更のための選局を行った後に第２放送波型コンテンツと第２ネットワーク型コンテンツのバッファリングを行って時間差検出を行っていたが、本実施形態では、選局前にバックグラウンドでバッファリング（図３参照）を行っていたので、時間差検出の時間が短縮される（図３に示すように、本実施例では３フレーム分短縮）。
【００３３】
そして、受信装置１１では、第２時間差検出部２１ｂにより検出された時間差に基づいて、第２放送波型コンテンツの再生速度を遅延（タイムストレッチ）させる同期処理を行うことで、第２放送波型コンテンツと第２ネットワーク型コンテンツとを同期させる（Ｓ２０：再生速度変化部２２）。受信装置１１では、同期が完了したか否かを判定し（Ｓ２１）、同期が完了していないと判定したときは（Ｓ２１のＮＯ）、繰り返し再生速度変化部２２による同期のためのタイムストレッチを再度行う。同期が完了したと判定したときは（Ｓ２１のＹＥＳ）、第２放送波型コンテンツから第２ネットワーク型コンテンツへの切り替えがスタンバイの状態になり、出力制御部２３が例えば第２放送波型コンテンツの受信品質が低下したと判定したときに、第２放送波型コンテンツから第１ネットワーク型コンテンツへの切り替えを行う（Ｓ２２）。
【００３４】
上記したように、本実施形態に係る受信装置１１によれば、第１放送波型コンテンツと第１ネットワーク型コンテンツとの時間差検出のための受信、バッファリング中に、バックグラウンドで第２放送波型コンテンツの受信、バッファリングとを行っているので、選局後における第２放送波型コンテンツと第２ネットワーク型コンテンツとの時間差の検出時間が短縮されるので、その後のタイムストレッチに迅速に移行できるので、第２放送波型コンテンツから第２ネットワーク型コンテンツへのシームレスな切り替えも迅速に行うことができる。なお、図３では、第２放送波型コンテンツのバッファリングの後に選局されているが、選局時が後になるときは、第２時間差検出部２１ｂによる時間差検出に基づいて、再生速度変化部２２が第２放送波型コンテンツのタイムストレッチを行い、第２ネットワーク型コンテンツとの同期を完了させておき、第２放送波型コンテンツから第２ネットワーク型コンテンツへの切り替え準備完了の状態におくことができる。
【００３５】
また、図４に示すように、受信する放送局を変更する選局により第２放送波型コンテンツ受信へのチューニング時が、時間差検出のための受信した第２放送波型コンテンツの一部のバッファリングと、第２ネットワーク型コンテンツの一部のバッファリングが終了した以降であるときは、既に時間差検出は完了しているので、時間差検出のための時間は０（ゼロ）となる。さらに、上記チューニング時までに第２放送波型コンテンツのタイムストレッチが完了して、第２放送波型コンテンツと第２ネットワーク型コンテンツとの同期が完了しているときには、チューニングと同時に第２放送波型コンテンツから第２ネットワーク型コンテンツへの切り替えが可能となる。
【００３６】
このように、第１の放送局による放送波型コンテンツとサイマル放送のネットワーク型コンテンツとの時間差検出と、タイムストレッチによる同期とを行っているときに、第２の放送局による放送波型コンテンツとサイマル放送のネットワーク型コンテンツとをバックグラウンドで受信、記憶させて時間差検出、タイムストレッチによる同期とを行っているので、第１の放送局から第２の放送局へと受信する放送局の変更である選局（チューニング）をおこなった場合でも、迅速に第２放送波型コンテンツから第２ネットワーク型コンテンツへのシームレスな切り替えが迅速に行うことが可能となる。なお、受信する放送局の変更である選局操作の時期にかかわらず、第１放送波型コンテンツ及び該コンテンツと同一の第１ネットワーク型コンテンツのバッファリングと同時に、第２放送波型コンテンツ及び該コンテンツと同一の第２ネットワーク型コンテンツのバッファリングをバックグラウンドで開始し、さらに時間差検出、タイムストレッチによる同期についても行うことで、その後の選局操作に対して、第２放送波型コンテンツから第２ネットワーク型コンテンツの再生への切り替え操作が可能な状態とすることができる。
【００３７】
なお、本実施形態においては、放送受信部等を２個としているが、これは本発明の実施形態の説明を簡潔にするためであり、放送受信部等を３個以上設けることも含むものである。したがって、放送受信部等を３個以上設け、１の放送局から受信した第１放送波型コンテンツの再生中に、バックグラウンドで他の２以上の放送局から放送波型コンテンツとネットワーク型コンテンツを受信して上記再生信号の時間差検出、同期処理を２以上行うことも含むものである。すなわち、第２放送波型コンテンツと第２ネットワーク型コンテンツとの再生信号の時間差検出、更には同期処理を、１の放送局に限定するものでなく、２以上の放送局から受信してバックグラウンドで行うことも含むものである。
【００３８】
また、第２放送波型コンテンツの放送局は、第１放送波型コンテンツの周波数と隣接する周波数のコンテンツの放送局とし、更に、放送受信部等が３個あるときは、第１放送波型コンテンツの周波数の前後の周波数のコンテンツの放送局とし、バックグラウンドでの時間差検出処理、同期処理ができる。さらに、例えば所定期間内における合計視聴時間が最長の放送局を第２放送波型コンテンツの放送局とすることができ、放送受信部が３個以上のときは、上記合計視聴時間の長い順にバックグラウンド処理する放送局を設定することができる。
【産業上の利用可能性】
【００３９】
以上、説明したように、本発明に係る受信装置は、コンテンツの再生中の選局により受信局が変更された場合でも、放送波によるコンテンツの再生から、ネットワークによる該コンテンツの再生へと迅速かつ簡便にシームレスな切り替えが可能となるという効果を奏するので、放送波型コンテンツと、該放送波型コンテンツと同一内容であるネットワーク型コンテンツの迅速な切り替え再生が可能な受信装置として有用である。
【符号の説明】
【００４０】
１１    受信装置
１２ａ、１２ｂ    アンテナ
１３    第１放送受信部
１５    第２放送受信部
１６    ＩＰネットワーク
１７    ネットワーク受信部
２０ａ、２０ｂ、２０ｃ、２０ｄ    記憶部
２１ａ    第１時間差検出部
２１ｂ    第２時間差検出部
２２    再生速度変化部
２３    出力制御部
２５    出力回路
２６    スピーカ
３０    選局部
【図１】
0006514073.tif 000002
【図２】
0006514073.tif 000003
【図３】
0006514073.tif 000004
【図４】
0006514073.tif 000005
【図５】
0006514073.tif 000006
【図６】
0006514073.tif 000007